(57)【要約】【課題】改装用の天井板を、大掛かりな工事を必要とすることなく強固に取り付け得る改装用天井板の取付構造を提供する。【解決手段】天井下地２を構成する吊下部材３を介して施工された既存の天井板６を覆うように室内側に改装用天井板１０を取り付ける構造であって、複数本の棒状吊部材１５を、前記既存の天井板をそれぞれ貫通させ、それぞれの一端部１６を前記天井下地の固定対象７に取り付け、隣り合う前記改装用天井板の接合部に応じた位置となるように互いに間隔を空けて一列状に配設し、前記棒状吊部材のそれぞれの他端部１７に略平板状の雇い実状の接合部材２０を取り付け、該接合部材の幅方向両側端部２１，２１を、前記隣り合う改装用天井板１０，１０の側端面１１，１１に互いに対向する方向に向けて開口するように設けられた凹溝１２，１２に嵌め入れて、これら改装用天井板を前記接合部材に取り付ける構造としている。【選択図】図１
2014055413.tif 000002
【特許請求の範囲】
【請求項１】
天井下地を構成する吊下部材を介して施工された既存の天井板を覆うように室内側に改装用天井板を取り付ける構造であって、
複数本の棒状吊部材を、前記既存の天井板をそれぞれ貫通させ、それぞれの一端部を前記天井下地の固定対象に取り付け、隣り合う前記改装用天井板の接合部に応じた位置となるように互いに間隔を空けて一列状に配設し、
前記棒状吊部材のそれぞれの他端部に略平板状の雇い実状の接合部材を取り付け、該接合部材の幅方向両側端部を、前記隣り合う改装用天井板の側端面に互いに対向する方向に向けて開口するように設けられた凹溝に嵌め入れて、これら改装用天井板を前記接合部材に取り付けることを特徴とする改装用天井板の取付構造。
【請求項２】
請求項１において、
前記接合部材に、前記複数本の棒状吊部材のそれぞれの他端部が挿通される貫通孔を設け、これら貫通孔に挿通された前記棒状吊部材のそれぞれの他端部を、前記接合部材の下面側に配設され、これら他端部に対して互いのねじ作用により取り付けられる固定具によって前記接合部材に取り付けていることを特徴とする改装用天井板の取付構造。
【発明の詳細な説明】
【技術分野】
【０００１】
本発明は、改装用の天井板を取り付ける構造に関する。
【背景技術】
【０００２】
従来より、梁や天井スラブ等に一端側が固定された吊ボルト等の吊部材を介して天井板を固定するようにした天井構造が知られている。
例えば、下記特許文献１では、複数の天井板固定部材を天井スラブ等の天井施工下地面の所定箇所に取り付け、この天井板固定部材に天井板を取り付ける目透天井の施工方法が開示されている。この目透天井の施工方法では、天井板固定部材に、天井施工下地面に固定される四角ブロック状の木製ナット体、該ナット体に螺合された金属製のボルト体、及びボルト体の下端部に固定された四角ブロック状の木製取付体を設け、取付体に対して天井板を取り付ける構成とされている。
【先行技術文献】
【特許文献】
【０００３】
【特許文献１】特開平９−２７３２５９号公報
【発明の概要】
【発明が解決しようとする課題】
【０００４】
しかしながら、上記のような目透天井の施工方法によって形成された目透天井を改装する場合には、既存の天井板を取り外し、上記した天井板固定部材を用いて改装用の天井板を取り付けたり、改装用の天井板に応じた天井板固定部材を配設し直したりする必要があり、大掛かりな工事が必要となることが考えられる。また、既存の天井板を取り外さずに、既存の天井板の室内側面に接着剤等によって改装用の天井板を取り付けることも考えられるが、改装用の天井板を強固に取り付け難くなることが考えられ、更なる改善が望まれる。
【０００５】
本発明は、上記実情に鑑みてなされたものであり、改装用の天井板を、大掛かりな工事を必要とすることなく強固に取り付け得る改装用天井板の取付構造を提供することを目的とする。
【課題を解決するための手段】
【０００６】
上記目的を達成するために、本発明に係る改装用天井板の取付構造は、天井下地を構成する吊下部材を介して施工された既存の天井板を覆うように室内側に改装用天井板を取り付ける構造であって、複数本の棒状吊部材を、前記既存の天井板をそれぞれ貫通させ、それぞれの一端部を前記天井下地の固定対象に取り付け、隣り合う前記改装用天井板の接合部に応じた位置となるように互いに間隔を空けて一列状に配設し、前記棒状吊部材のそれぞれの他端部に略平板状の雇い実状の接合部材を取り付け、該接合部材の幅方向両側端部を、前記隣り合う改装用天井板の側端面に互いに対向する方向に向けて開口するように設けられた凹溝に嵌め入れて、これら改装用天井板を前記接合部材に取り付けることを特徴とする。
【０００７】
本発明においては、前記接合部材に、前記複数本の棒状吊部材のそれぞれの他端部が挿通される貫通孔を設け、これら貫通孔に挿通された前記棒状吊部材のそれぞれの他端部を、前記接合部材の下面側に配設され、これら他端部に対して互いのねじ作用により取り付けられる固定具によって前記接合部材に取り付けてもよい。
【発明の効果】
【０００８】
本発明に係る改装用天井板の取付構造は、上述のような構造としたことにより、改装用の天井板を、大掛かりな工事を必要とすることなく強固に取り付けることができる。
【図面の簡単な説明】
【０００９】
【図１】（ａ）、（ｂ）は、いずれも本発明の一実施形態に係る改装用天井板の取付構造の一例をそれぞれ模式的に示し、（ａ）は、同改装用天井板の取付構造の一部破断概略側面図、（ｂ）は、図２のＸ−Ｘ線矢視に対応させた一部破断概略縦断面図である。
【図２】同改装用天井板の取付構造の一例を模式的に示す一部省略概略斜視図である。
【発明を実施するための形態】
【００１０】
以下に本発明の実施の形態について、図面に基づいて説明する。
なお、一部の図では、他図に付している詳細な符号の一部を省略している。
また、以下の実施形態では、改装用天井板を施工した状態を基準として、上下方向等の方向を原則的に説明する。
図１及び図２は、本実施形態に係る改装用天井板の取付構造の一例を模式的に示す図である。
本実施形態に係る改装用天井板の取付構造１は、図１（ａ）に示すように、天井下地２を構成する吊下部材３を介して施工された既存の天井板６を覆うように室内側に改装用天井板１０を取り付ける構造とされている。
【００１１】
本実施形態では、天井下地２を、吊下部材３を構成する吊ボルト３と、形鋼野縁４と、を備えた金属製下地とした例を示している。
吊ボルト３は、長尺な棒状体等とされている。この吊ボルト３は、その長手方向を上下方向に沿わせ、複数本が天井下地２の固定対象７に固定されている。
形鋼野縁４は、これら吊ボルト３の下端に固定されている。形鋼野縁４は、長尺な角筒状体等とされており、その長手方向を水平方向に沿わせるように、複数本が格子状に組み付けられている。
これら形鋼野縁４の下面側に、既存の天井板６が固定されている。このような既存の天井板６としては、平面視略矩形平板状とされたものとしてもよい。
【００１２】
なお、天井下地２としては、建物の構造等に応じたものとしてもよく、上記したような金属製下地に代えて、吊下部材３を構成する吊木や、この吊木に固定される野縁受け、この野縁受けに固定される野縁等からなる木製下地としてもよい。
また、天井下地２の固定対象７としては、建物の構造等に応じたものとしてもよく、コンクリートスラブ７や、木製梁、鋼製梁等としてもよい。
【００１３】
当該改装用天井板の取付構造１は、図１（ａ）に示すように、複数本の棒状吊部材１５を、既存の天井板６をそれぞれ貫通させ、それぞれの一端部１６を天井下地２の固定対象７に取り付け、隣り合う改装用天井板１０，１０の接合部に応じた位置となるように互いに間隔を空けて一列状に配設し、棒状吊部材１５のそれぞれの他端部１７に接合部材２０を取り付けた構造とされている。また、改装用天井板の取付構造１は、接合部材２０の幅方向両側端部２１，２１を、隣り合う改装用天井板１０，１０の側端面１１，１１に互いに対向する方向に向けて開口するように設けられた凹溝１２，１２に嵌め入れて、これら改装用天井板１０，１０を接合部材２０に取り付ける構造とされている。
また、本実施形態では、接合部材２０に、複数本の棒状吊部材１５のそれぞれの他端部１７が挿通される貫通孔２２を設け、これら貫通孔２２に挿通された棒状吊部材１５のそれぞれの他端部１７を、これら他端部１７に対して互いのねじ作用により取り付けられる固定具２５によって接合部材２０に取り付ける構造としている。
【００１４】
改装用天井板１０は、図２に示すように、平面視略矩形平板状とされている。図例では、長方形状とされた改装用天井板１０を示している。この改装用天井板１０は、既存の天井板６と略平行となるように、複数枚が縦横方向に隣接するように取り付けられる。これら改装用天井板１０は、隣り合う改装用天井板１０，１０の側端面同士を対面させるように、既存の天井板６の室内側に取り付けられる。
【００１５】
また、改装用天井板１０には、図１（ｂ）に示すように、隣り合う改装用天井板１０，１０の側端面１１，１１に互いに対向する方向に向けて開口するように凹溝１２，１２が設けられている。
図例では、改装用天井板１０の幅方向両側端面１１，１１に、外方側に向けて開口するように凹溝１２，１２を設けた例を示している。
これら凹溝１２，１２は、改装用天井板１０の長手方向の略全域に亘って設けられている。また、これら凹溝１２，１２は、それぞれ改装用天井板１０の厚さ方向略中央部に設けられている。
【００１６】
この改装用天井板１０としては、合板やＬＶＬ等の木質積層板、パーティクルボード等の木質ボード、若しくはインシュレーションボードやＭＤＦ（中密度繊維板）等の木質繊維板などの木質系材料から形成されたものとしてもよい。また、これら種々の木質系材料を積層した複合材料から形成されたものとしてもよい。または、石膏ボードやロックウールボード等の無機質系材料から形成されたものとしてもよい。さらには、解繊したケナフ長繊維にバインダーとして合成樹脂系接着剤等を加えてボード化したケナフボードからなるものや、発泡ポリスチレン（発泡ＰＳ）や発泡ウレタンなどの各種フォーム系（発泡系）材料から形成されたものとしてもよい。
【００１７】
また、改装用天井板１０としては、上記のような種々の材料から平板状に形成されたものに限られない。例えば、縦枠や横枠等により枠組みした枠部材の間に、厚さ方向に開口する多数の中空筒状セルの集合体からなるハニカムコアなどのコア材を配設し、その表裏を面材によって覆ったいわゆるフラッシュ構造の改装用天井板１０としてもよい。
さらに、断熱機能や、吸音機能、防音機能、調湿機能等を有した各種の機能性材料から製されたものや、各種の機能性材料を内蔵した断熱パネル、吸音パネル、防音パネル、調湿パネルなどの機能天井板１０としてもよい。
【００１８】
複数本の棒状吊部材１５は、図２に示すように、比較的に長尺な棒状体とされている。
これら複数本の棒状吊部材１５は、長手方向を上下方向に沿わせ、隣り合う改装用天井板１０，１０の接合部に沿うように略等間隔を空けて、それぞれの一端部１６が固定対象７に取り付けられる。
これら複数本の棒状吊部材１５は、改装用天井板１０の長手方向に沿う一方の対向する壁面間方向に沿って一列状となるように、かつ他方の対向壁面間方向に沿って改装用天井板１０の幅寸法に応じた間隔を空けて配設される。
また、これら複数本の棒状吊部材１５の一端部１６の固定対象７への固定態様としては、これら一端部１６を、一端側雄ねじ部１６とし、これら一端側雄ねじ部１６を固定対象７に直接的に捩じ込み固定するようにしてもよい。または、これら一端側雄ねじ部１６に螺合する雌ねじ部を設けたコンクリート用のプラグ等を固定対象７に埋め込み固定し、このプラグ等に一端側雄ねじ部１６を螺合させて固定するようにしてもよい。
また、本実施形態では、複数本の棒状吊部材１５のそれぞれの他端部１７を、固定具２５に螺合する他端側雄ねじ部１７としている。
【００１９】
これら棒状吊部材１５の長さ寸法は、棒状吊部材１５の一端側雄ねじ部１６を固定対象７に固定し、かつ、改装用天井板１０を取り付けた状態で、改装用天井板１０が既存の天井板６に干渉しない程度の長さ寸法としてもよい。
なお、これら棒状吊部材１５は、金属系材料等から、上記形状に加工されたものであってもよい。
また、本実施形態では、これら棒状吊部材１５のそれぞれの一端部１６を一端側雄ねじ部１６とし、それぞれの他端部１７を他端側雄ねじ部１７とした例を示したが、棒状吊部材１５の全体を雄ねじ部としてもよい。
【００２０】
接合部材２０は、図２に示すように、略平板状の雇い実状とされている。本実施形態では、接合部材２０を、長尺な略帯板状としている。
接合部材２０の貫通孔２２は、接合部材２０の厚さ方向に貫通するように、接合部材２０の長手方向に間隔を空けて設けられている。
本実施形態では、貫通孔２２を、複数本の棒状吊部材１５に応じた位置となるように接合部材２０の長手方向に略等間隔を空けて設けている。
【００２１】
また、接合部材２０の幅方向両側端部２１，２１の厚さ寸法は、隣り合う改装用天井板１０，１０の対向する両側端面１１，１１に設けられた凹溝１２，１２にそれぞれ嵌め入れ可能な寸法としてもよい。図例では、接合部材２０の全体を、幅方向両側端部２１，２１を含んで略同厚さ寸法としている。
また、接合部材２０の長さ寸法は、室内空間を区画する対向する壁面間の寸法に応じた寸法としてもよい。または、複数本の接合部材２０を、対向する壁面間方向に隣接させて設けるようにしてもよい。
なお、接合部材２０と隣り合う改装用天井板１０，１０との接合態様としては、接合部材２０の幅方向両側端部２１，２１を隣り合う改装用天井板１０，１０の側端面１１，１１の凹溝１２，１２に嵌め入れるのみでもよいが、接着剤等を併用するようにしてもよい。
【００２２】
固定具２５は、その上面を接合部材２０の下面に当接させるように、接合部材２０の下面側に配設される。
本実施形態では、図１（ｂ）に示すように、固定具２５を、棒状吊部材１５の他端側雄ねじ部１７に螺合する雌ねじ部を設けたナット２５としている。
ナット２５は、棒状吊部材１５の他端側雄ねじ部１７がナット２５によって接合部材２０に取り付けられた状態で、その下面が改装用天井板１０の室内面から突出しないように形成されている。また、ナット２５は、接合部材２０の幅方向両側端部２１，２１を隣り合う改装用天井板１０，１０の凹溝１２，１２に嵌め入れ可能なように接合部材２０の幅寸法よりも小さく形成されている。
【００２３】
なお、ナット２５は、金属系材料等から形成されたものであってもよい。
また、接合部材２０の棒状吊部材１５の他端側雄ねじ部（他端部）１７への取付態様としては、接合部材２０を棒状吊部材１５の他端側雄ねじ部１７に固定されたナット２５上に自重によって載置させ、ナット２５を接合部材２０の下方側への移動を防止する抜け止めとして機能させて取り付けるようにしてもよい。または、接合部材２０の上面側に棒状吊部材１５の他端側雄ねじ部１７に螺合するナットをさらに設け、このナット及び下側のナット２５によって接合部材２０を上下両側から挟み、接合部材２０を棒状吊部材１５の他端側雄ねじ部（他端部）１７に取り付ける態様としてもよい。
【００２４】
次に、本実施形態に係る改装用天井板の取付構造１の施工手順の一例について説明する。
まず、図１（ａ）に示すように、隣り合う改装用天井板１０，１０の接合部に応じた位置となるように一列状に配設される複数本の棒状吊部材１５に応じた位置となるように、既存の天井板６に、それぞれの棒状吊部材１５が挿通される貫通孔６ａを形成する。つまり、改装用天井板１０の長手方向に沿う一方の対向する壁面間方向に沿って一列状となるように、かつ他方の対向壁面間方向に沿って改装用天井板１０の幅寸法に応じた間隔を空けて複数の貫通孔６ａを形成する。
次いで、複数本の棒状吊部材１５を、これら既存の天井板６に形成された貫通孔６ａにそれぞれ挿通させ、これら棒状吊部材１５のそれぞれの一端側雄ねじ部１６を、固定対象７に取り付ける。
【００２５】
次いで、固定対象７に取り付けられたこれら複数本の棒状吊部材１５の他端側雄ねじ部１７を、接合部材２０の貫通孔２２にそれぞれ挿通させ、ナット２５によって、これら複数本の棒状吊部材１５の他端側雄ねじ部１７に接合部材２０を取り付ける。この際、それぞれの棒状吊部材１５の他端側雄ねじ部１７に対するナット２５の固定位置を上下方向に微調整して、接合部材２０が略水平となるように調整してもよい。
【００２６】
次いで、接合部材２０の幅方向両側端部２１，２１を、隣り合う改装用天井板１０，１０の側端面１１，１１に互いに対向する方向に向けて開口するように設けられた凹溝１２，１２に嵌め入れて、これら改装用天井板１０，１０を接合部材２０に取り付ける。この際、上記他方の対向壁面間方向に間隔を空けて配設された隣り合う接合部材２０，２０の対向する幅方向端部２１，２１を、改装用天井板１０の両側面１１，１１の凹溝１２，１２にそれぞれ嵌め入れて、改装用天井板１０を取り付けるようにしてもよい。
また、長手方向に隣り合う改装用天井板１０，１０の長手方向端部同士は、接着剤等によって固定するようにしてもよく、または、これら端部同士を突き合わせるのみとしてもよい。
また、壁際の改装用天井板１０の壁際の端部を固定する態様としては、改装用天井板１０の壁際の端部の端面を壁面に当接させて、適宜の固定具等によってこれら改装用天井板１０の壁際の端部を壁面に固定するようにしてもよい。
また、上記のように改装用天井板１０を取り付けた後、隣り合う改装用天井板１０の接合部に、必要に応じてパテ等の充填材を充填して平滑処理し、これら改装用天井板１０の室内面に、化粧シートやクロス等の表面化粧材を貼着するようにしてもよい。
なお、上記施工手順は一例であり、各部材及び各部の機能を阻害しない限りにおいて別手順でなされるようにしてもよい。
【００２７】
上記構成とされた本実施形態に係る改装用天井板の取付構造１によれば、改装用天井板１０を、大掛かりな工事を必要とすることなく強固に取り付けることができる。
つまり、当該改装用天井板の取付構造１は、既存の天井板６を貫通させ、複数本の棒状吊部材１５のそれぞれの一端部１６を天井下地２の固定対象７に取り付け、これら棒状吊部材１５のそれぞれの他端部１７に接合部材２０を取り付け、この接合部材２０に改装用天井板１０を取り付ける構造とされている。従って、既存の天井板６を取り外すような大掛かりな工事を必要とすることなく、複数本の棒状吊部材１５を介して改装用天井板１０を取り付けることができる。また、複数本の棒状吊部材１５のそれぞれの一端部１６を天井下地２の固定対象７に取り付けるようにしているので、強固にこれら棒状吊部材１５を取り付けることができ、強固に改装用天井板１０を取り付けることができる。
また、接合部材２０の幅方向両側端部２１，２１を、隣り合う改装用天井板１０，１０の凹溝１２，１２に嵌め入れて、これら改装用天井板１０，１０を接合部材２０に取り付ける構造としている。従って、複数本の棒状吊部材１５のそれぞれの他端部１７に取り付けられた接合部材２０に、容易に隣り合う改装用天井板１０，１０を取り付けることができる。
【００２８】
また、本実施形態では、接合部材２０のそれぞれの貫通孔２２に挿通された棒状吊部材１５の他端部１７を、他端部１７に対して互いのねじ作用により取り付けられる固定具２５によって接合部材２０に取り付ける構造としている。従って、例えば、棒状吊部材１５の他端部１７を溶接等によって接合部材２０に取り付ける場合と比べて、容易に棒状吊部材１５の他端部１７を接合部材２０に固定することができ、より容易に改装用天井板１０を取り付けることができる。また、それぞれの棒状吊部材１５の他端部１７に対する固定具２５の固定位置を、ねじ作用によって上下方向に微調整することができ、接合部材２０を略水平となるように調整することができる。
【００２９】
なお、本実施形態では、棒状吊部材１５の他端部１７を、他端側雄ねじ部１７とし、固定具２５を、この他端側雄ねじ部１７に螺合するナット２５とした例を示しているが、この態様に限られない。棒状吊部材１５の他端部１７を、下向き開口の雌ねじ部とし、固定具２５を、この雌ねじ部に螺合するボルトとしてもよい。さらには、このような固定具２５が互いのねじ作用により棒状吊部材１５の他端部１７に取り付けられる態様に代えて、棒状吊部材１５の他端部１７を、固定具２５に加えて、溶接や接着剤等によって接合部材２０に取り付けるようにしてもよい。また、接合部材２０に貫通孔２２を設けずに、溶接や接着剤等によって、棒状吊部材１５の他端部１７を直接的に接合部材２０に取り付けるようにしてもよい。
【符号の説明】
【００３０】
１                改装用天井板の取付構造
２                天井下地
３                吊ボルト（吊下部材）
６                既存の天井板
７                コンクリートスラブ（天井下地の固定対象）
１０              改装用天井板
１１              側端面
１２              凹溝
１５              棒状吊部材
１６              一端側雄ねじ部（一端部）
１７              他端側雄ねじ部（他端部）
２０              接合部材
２１              幅方向側端部
２２              貫通孔
２５              ナット（固定具）
【図１】
2014055413.tif 000003
【図２】
2014055413.tif 000004